(57)【要約】【課題】  書込条件の最適化により情報を適切に記録し、記録された情報の良好な再生を可能ならしめる。【解決手段】  光ディスク等の情報記録装置は、情報記録媒体に情報を光学的に書込可能な光ヘッドと、該光ヘッドの焦点位置を情報記録媒体の記録基準面に合わせるフォーカシングを行うフォーカシンング手段と、焦点位置を収差の影響を補正するためのオフセット値の分だけ記録基準面からずらすようにフォーカシング手段を制御すると共に、焦点位置がずれた状態で書き込みを行うように光ヘッドを制御する制御手段とを備える。【選択図】  図４
2006018974.tif 000002
【特許請求の範囲】
【請求項１】
情報記録媒体に情報を光学的に書込可能な光ヘッドと、
該光ヘッドの焦点位置を前記情報記録媒体の記録基準面に合わせるためのフォーカシングを行うフォーカシンング手段と、
前記焦点位置をオフセット値の分だけ前記記録基準面からずらすように前記フォーカシング手段を制御すると共に、前記焦点位置がずれた状態で書き込みを行うように前記光ヘッドを制御する制御手段と
を備えたことを特徴とする情報記録装置。
【請求項２】
前記オフセット値は、前記フォーカシング手段が前記フォーカシングを行う際に用いるフォーカスエラー信号の信号波形における、フォーカスＳ字カーブの中心点を基準に設定されることを特徴とする請求項１に記載の情報記録装置。
【請求項３】
前記オフセット値は、前記情報記録媒体に予め記録されており、
前記光ヘッドは、前記情報記録媒体から情報を読出可能であり、
前記制御手段は、前記光学ヘッドにより前記情報記録媒体から読み出されたオフセット値の分だけ前記焦点位置をずらすように前記フォーカシング手段を制御することを特徴とする請求項１又は２に記載の情報記録装置。
【請求項４】
前記オフセット値を規定する前記情報記録媒体に係る第１光学情報が、前記情報記録媒体に予め記録されており、
前記光ヘッドは、前記情報記録媒体から情報を読出可能であり、
前記制御手段は、前記オフセット値を規定する前記光ヘッドに係る第２光学情報を予め保持し、前記光ヘッドにより前記情報記録媒体から読み出された第１光学情報と前記予め保持された第２光学情報とに基づいて前記オフセット値を設定することを特徴とする請求項１又は２に記載の情報記録装置。
【請求項５】
前記光ヘッドは、前記情報記録媒体から情報を読出可能であり、
前記制御手段は、前記情報記録媒体の複数箇所の夫々に前記焦点位置を変化させて書き込みを行うように前記光ヘッド及び前記フォーカシンング手段を制御すると共に、前記複数箇所から情報を読み出すように前記光ヘッドを制御し、該読み出された情報に対応する再生信号に係る所定種類の再生特性を取得し、該取得された再生特性に基づいて前記オフセット値を設定することを特徴とする請求項１又は２に記載の情報記録装置。
【請求項６】
前記再生特性は、ラジアルプッシュプル値、アシンメトリ値、変調度及びジッター値の少なくとも１つであることを特徴とする請求項５に記載の情報記録装置。
【請求項７】
前記再生特性が、(i) アシンメトリ値が最大となること、(ii) 変調度が最大となること、及び(iii) ジッター値が最小となることの少なくともいずれかの条件を満たす焦点位置を、前記オフセット値として設定することを特徴とする請求項６に記載の情報記録装置。
【請求項８】
前記制御手段は、前記オフセット値の設定時に行う書き込みに際し、オフセット基準媒体にフォーカシングを行った場合の位置を基準に前記焦点位置を変化させるように前記フォーカシング手段を制御することを特徴とする請求項５に記載の情報記録装置。
【請求項９】
前記制御手段は、前記オフセット値の設定時に行う書き込みに際し、前記情報記録媒体の未記録部分でのラジアルプッシュプル値が最大となる位置を基準に前記焦点位置を変化させるように前記フォーカシング手段を制御することを特徴とする請求項５に記載の情報記録装置。
【請求項１０】
前記制御手段は、前記オフセット値の設定時に行う書き込みに際し、前記情報記録媒体に書き込んだ部分又は予め書き込まれている部分の再生特性が最適化される位置を基準に前記焦点位置を変化させるように前記フォーカシング手段を制御することを特徴とする請求項５に記載の情報記録装置。
【請求項１１】
前記制御手段は、前記オフセット値の設定時に行う書き込み以前と、前記オフセット値の分だけ前記焦点位置をずらした後との少なくとも一方でＯＰＣ（Optimum Power Control）処理を行うように前記光ヘッド及び前記フォーカシング手段を制御することを特徴とする請求項５に記載の情報記録装置。
【請求項１２】
前記制御手段は、前記設定されたオフセット値を前記情報記録媒体に書き込むように前記光ヘッド及び前記フォーカシング手段を制御することを特徴とする請求項１から１１に記載の情報記録装置。
【請求項１３】
前記情報記録媒体が複数の記録層からなる場合に、
前記制御手段は、前記複数の記録層の各記録基準面に対して、前記焦点位置を前記オフセット値の分だけずらすように前記フォーカス制御手段を制御することを特徴とする請求項１から１２に記載の情報記録装置。
【請求項１４】
情報記録装置が備えた光ヘッドにより情報を光学的に書き込むことが可能であり、前記光ヘッドの焦点位置を補正するために設定されたオフセット値、又は、該オフセット値を規定する自身の光学情報を記録するために設けられた書込領域を備えたことを特徴とする情報記録媒体。
【請求項１５】
情報記録装置が備えた光ヘッドにより情報を光学的に書き込むことが可能な書込領域を備え、前記書込領域には、前記光ヘッドの焦点位置を補正するために設定されたオフセット値、又は、該オフセット値を規定する自身の光学情報が予め記録されていることを特徴とする情報記録媒体。
【請求項１６】
前記書込領域を夫々有する複数の記録層からなり、前記書込領域の少なくともいずれかが、該複数の記録層の各層に対する前記オフセット値又は前記光学情報を記録対象とすることを特徴とする請求項１４又は１５に記載の情報記録媒体。
【発明の詳細な説明】
【技術分野】
【０００１】
本発明は、例えばＤＶＤ等の情報記録媒体、及び該情報記録媒体に情報を記録する、例えばＤＶＤレコーダ等の情報記録装置の技術分野に関する。
【背景技術】
【０００２】
この種の情報記録媒体としては、特許文献１又は２に記載されているように、同一基板上に複数の記録層が積層されてなるデュアルレイヤー型（即ち、２層型）或いはマルチプルレイヤー型の光ディスクが開発されている。そして、２層型ディスクに対する記録を行う、ＤＶＤレコーダ等の情報記録装置では、レーザ光の光源となる光ヘッドから見て手前側に位置する記録層（以下、適宜「Ｌ０層」と称する）にレーザ光を集光することで、Ｌ０層に情報が書き込こまれ、光ヘッドから見てＬ０層の奥側に位置する記録層（以下、適宜「Ｌ１層」と称する）にＬ０層を介して該レーザ光を集光することで、Ｌ１層に情報が書き込まれる。
【０００３】
Ｌ０層及びＬ１層の夫々に書き込まれた情報へのフォーカス引き込みは、例えば、非点収差法等に基づき行われる。具体的には、光ヘッド内の対物レンズを光ディスクに近づける方向に移動させると、Ｌ０層にフォーカス（焦点）が合った時点で、Ｌ０層の、例えば半透過反射膜からの反射光のフォーカスエラー信号は“０”に収束する。対物レンズを更に光ディスクに近づく方向に移動させると、Ｌ１層にフォーカスが合った時点で、Ｌ１層の反射膜からの反射光のフォーカスエラー信号は“０”に収束する。
【０００４】
このように、対物レンズを光ディスクに近づけてゆくと、Ｌ０層にフォーカスが合っている場合の対物レンズの位置（以下、適宜、Ｌ０層の「合焦点位置」と称す）及びＬ１層の合焦点位置を中心とする２つのＳ字波形をしたフォーカスエラー信号が得られる。この２つのＳ字信号に基づいて対物レンズの位置を移動させると、Ｌ０層及びＬ１層の夫々にフォーカスを合わせることができる。
【０００５】
【特許文献１】特開２０００−３１１３４６号公報
【特許文献２】特開２００１−２３２３７号公報
【発明の開示】
【発明が解決しようとする課題】
【０００６】
しかしながら、実際には、Ｓ字信号が“０”に収束するという調整或いはフォーカスＳ字カーブのゼロクロス点に焦点位置を合わせるという調整だけでは、特に２層型ディスクに対しては、対物レンズのフォーカスは適正に調整されているとは限らない。例えば、Ｌ０層とＬ１層との収差条件の違いから、Ｌ０層及びＬ１層のいずれにおいても球面収差の発生を抑えるように対物レンズを設計することは困難である。
【０００７】
そのため、上記調整だけでは、対物レンズの位置は真に最適な位置（即ち、例えば再生時におけるジッター、シンメトリー等の各種観点から最も理想的な再生信号を再生可能なように書き込める、Ｌ０層又はＬ１層における光軸の深さ方向についての記録位置）からずれてしまうという技術的問題点がある。また、単層のディスクでも、仕様や製造誤差等に応じて球面収差が無視できないくらい大きい場合には、同様の問題が起きる。
【０００８】
本発明は、例えば上記問題点に鑑みなされたものであり、書込条件の最適化により情報を適切に記録し、記録された情報の良好な再生を可能ならしめる情報記録媒体及び情報記録装置を提供することを課題とする。
【課題を解決するための手段】
【０００９】
本発明の請求項１に記載の情報記録装置は上記課題を解決するために、情報記録媒体に情報を光学的に書込可能な光ヘッドと、該光ヘッドの焦点位置を前記情報記録媒体の記録基準面に合わせるためのフォーカシングを行うフォーカシンング手段と、前記焦点位置をオフセット値の分だけ前記記録基準面からずらすように前記フォーカシング手段を制御すると共に、前記焦点位置がずれた状態で書き込みを行うように前記光ヘッドを制御する制御手段とを備える。
【００１０】
本発明の請求項１４に記載の情報記録媒体は上記課題を解決するために、情報記録装置が備えた光ヘッドにより情報を光学的に書き込むことが可能であり、前記光ヘッドの焦点位置を補正するために設定されたオフセット値、又は、該オフセット値を規定する自身の光学情報を記録するために設けられた書込領域を備えている。
【００１１】
本発明の請求項１５に記載の情報記録媒体は上記課題を解決するために、情報記録装置が備えた光ヘッドにより情報を光学的に書き込むことが可能な書込領域を備え、前記書込領域には、前記光ヘッドの焦点位置を補正するために設定されたオフセット値、又は、該オフセット値を規定する自身の光学情報が予め記録されている。
【発明を実施するための最良の形態】
【００１２】
（情報記録装置に係る実施形態）
以下、本発明の情報記録装置に係る実施形態について説明する。
【００１３】
本発明の情報記録装置に係る実施形態は、情報記録媒体に情報を光学的に書込可能な光ヘッドと、該光ヘッドの焦点位置を前記情報記録媒体の記録基準面に合わせるためのフォーカシングを行うフォーカシンング手段と、前記焦点位置をオフセット値の分だけ前記記録基準面からずらすように前記フォーカシング手段を制御すると共に、前記焦点位置がずれた状態で書き込みを行うように前記光ヘッドを制御する制御手段とを備える。
【００１４】
本発明の情報記録装置に係る実施形態によれば、実際にデータを書き込む動作の前に、光ヘッドの情報記録媒体に対する焦点位置が、記録基準面からオフセット値に基づいてずらされる。この種の焦点位置の補正は、光ヘッド内の対物レンズの位置調整により行われる。ここで、「光ヘッド」は、例えば半導体レーザ等のビーム光源と、光源からのレーザビームを情報記録媒体まで導き、合焦点させるための対物レンズ等の光学系とを含んで構成されている。「フォーカス制御手段」は、例えばフォーカスサーボ系と呼ばれる、光ヘッドと情報記録媒体との相対位置を調整する手段であり、例えば光ヘッドの対物レンズを光軸に沿って移動させる機械的手段或いは電磁的手段を指す。また、本発明に係る「記録基準面」とは、例えば情報記録媒体の一例たる光ディスクについて、記録時のフォーカス信号の信号波形におけるフォーカスＳ字カーブのゼロクロス点を含む、ディスク面に平行な面など、光学ヘッドによる光学的な書き込みに際して情報記録媒体における記録の基準となる面を意味する。このような記録基準面は、典型的には、光ディスクにおける記録層の表面や該記録層内部に位置するディスク基板面に平行な面である。
【００１５】
伝統的な非点収差法等によりフォーカシングを行えば、記録時における焦点位置は最適な筈であるが、本発明の発明者の知見によれば、こうした調整だけでは、焦点位置を最適な位置に定められない場合がある。例えば2層型ディスクの場合、球面収差の発生をＬ０層及びＬ１層の両方ともに抑えることは難しい。即ち、対物レンズは、光ディスク表面による屈折を考慮して、Ｌ０層又はＬ１層にフォーカスしたときに球面収差が発生しないように設計される。
【００１６】
ところが、Ｌ０層とＬ１層とは光ディスク表面からの深さが夫々異なるために、例えばＬ０層で球面収差が発生しないように対物レンズを設計すれば、Ｌ０層からずれたＬ１層では球面収差が発生してしまうし、逆にＬ１層で球面収差が発生しないように対物レンズを設計すれば、Ｌ０層で球面収差が発生してしまう。そのため、対物レンズは、Ｌ０層とＬ１層のいずれか一方における収差を補正するように、或いは双方の中間の位置に合わせて補正するように設計されるより他なく、レンズ設計によって、いずれの記録層からも球面収差の影響を完全になくすことは原理的に困難である。また、いずれの記録層においても球面収差が発生しないような２層型ディスクを作ることも、同様に困難である。
【００１７】
そこで、本実施形態では、光ディスクの記録層に対する対物レンズの焦点位置を、通常のフォーカシングによる焦点位置に対してデフォーカスする位置に設定することで、焦点位置を、実質的に最適な位置に設定するようにしている。この場合、対物レンズ等の光学系も記録対象となるディスクも、既存のものを用いることが可能である。
【００１８】
尚、ここにいう「最適な位置」とは、例えば記録時にフォーカスＳ字カーブのゼロクロス点を含む、光軸の深さ方向についての記録位置ではなく、例えば再生時におけるラジアルプッシュプル値、アシンメトリ値、変調度及びジッター値などの各種再生特性が最も理想的となるような再生信号を再生可能なように書き込める、Ｌ０層又はＬ１層における光軸の深さ方向についての記録位置を意味する。
【００１９】
本発明の情報記録装置によれば、オフセット量だけ焦点位置がずらされ、焦点位置における収差、特に球面収差の影響が取り除かれる。
【００２０】
例えば球面収差の補正については、光ヘッド内の光学系に液晶部品を組み入れ、液晶の屈折率変化を利用する方法が知られているが、本発明の場合は、そのように直接に収差を補正するのではなく、光ビームの焦点の位置形状に影響する要因を総合的に考量して焦点位置を最適化することで、再生時において最終的に収差等の影響を軽減又は解消するように作用する。そのため、本発明の場合は、オフセット値に基づいてフォーカシング手段を制御するだけでよいので、装置構成上及び制御上、より簡便に実現することができる。
【００２１】
このように、書き込みを行う際に、再生時における収差等の影響を取り除くようにしたので、球面収差が大きくなる情報記録媒体に対しても、焦点距離を真に最適な位置に調整した上で書き込みがなされ、特性最良の再生信号が得られるような情報記録が可能となる。
【００２２】
本発明の情報記録装置に係る実施形態の一態様では、前記オフセット値は、前記フォーカシング手段が前記フォーカシングを行う際に用いるフォーカスエラー信号の信号波形における、フォーカスＳ字カーブの中心点を基準に設定される。
【００２３】
この態様によれば、光ヘッドの焦点位置は、当初フォーカスＳ字カーブの中心点に対応する位置に調整された後、オフセット値の分だけ微調整される。或いは、光ヘッドの焦点位置は、フォーカスＳ字カーブの中心点に対応する位置からオフセット値の分だけずらされた位置に、直接的に調整されてもよい。
【００２４】
本発明の情報記録装置に係る実施形態の他の態様では、前記オフセット値は、前記情報記録媒体に予め記録されており、前記光ヘッドは、前記情報記録媒体から情報を読出可能であり、前記制御手段は、前記光学ヘッドにより前記情報記録媒体から読み出されたオフセット値の分だけ前記焦点位置をずらすように前記フォーカシング手段を制御する。
【００２５】
この態様によれば、情報記録媒体に予め記録されているオフセット値を読み出して焦点位置の補正に利用する。即ち、オフセット値は、各情報記録媒体に固有の情報として保有されており、情報記録媒体から読み取るだけでよいことから、媒体毎に適したオフセット値を、測定等を行わずに簡単に得ることが可能である。尚、この場合の「光ヘッド」は、書込用と読出用とに兼用され、夫々において相異なるパワーの光ビームが出力可能に構成されている。
【００２６】
本発明の情報記録装置に係る実施形態の他の態様では、前記オフセット値を規定する前記情報記録媒体に係る第１光学情報が、前記情報記録媒体に予め記録されており、前記光ヘッドは、前記情報記録媒体から情報を読出可能であり、前記制御手段は、前記オフセット値を規定する前記光ヘッドに係る第２光学情報を予め保持し、前記光ヘッドにより前記情報記録媒体から読み出された第１光学情報と前記予め保持された第２光学情報とに基づいて前記オフセット値を設定する。
【００２７】
この態様によれば、情報記録媒体には、オフセット値を規定する第１光学情報、つまりオフセット値の設定に必要な情報記録媒体に関する光学情報が記録されている。この第１光学情報は、情報記録装置にて読み出される。その一方、情報記録装置には、例えばその内蔵メモリに、オフセット値を規定する第２光学情報、つまりオフセット値の設定に必要な光ヘッドに係る光学情報が記録されている。そして、記録時には、これら第１及び第２光学情報に基づいてオフセット値が設定される。例えば、情報記録装置は、これらの光学情報をパラメータとするテーブルを予め有し、第１光学情報、更には第２光学情報を入力してオフセット値を出力するように構成することができる。
【００２８】
このような場合には、装置側の光学条件を加味してオフセット値が得られることから、より実際に即した収差補正を行うことが可能となる。
【００２９】
本発明の情報記録装置に係る実施形態の他の態様では、前記光ヘッドは、前記情報記録媒体から情報を読出可能であり、前記制御手段は、前記情報記録媒体の複数箇所の夫々に前記焦点位置を変化させて書き込みを行うように前記光ヘッド及び前記フォーカシンング手段を制御すると共に、前記複数箇所から情報を読み出すように前記光ヘッドを制御し、該読み出された情報に対応する再生信号に係る所定種類の再生特性を取得し、該取得された再生特性に基づいて前記オフセット値を設定する。
【００３０】
この態様によれば、情報記録媒体に書き込むべき情報についての書き込み（以下では、適宜に「本番記録」と称す）を行う前にオフセット値を求めることから、情報記録媒体と情報記録装置からなる系における、本番記録直前の状態に応じたオフセット値が得られ、焦点位置の補正を適正に行うことが可能である。
【００３１】
ここでのオフセット値は、試験的に書き込んだ情報の再生特性に基づいて設定される。つまり、“最良の再生特性で再生可能に書き込める”焦点位置に合わせることが、この場合のフォーカシングにおける最適化を意味しており、このオフセット値によれば、そのような最適位置に焦点位置が補正される。
【００３２】
従って、この態様では、焦点位置をオフセット値の分だけずらすことで、好適な状態で書き込むことが可能であり、その再生信号も良好な再生特性で読み出し可能である。
【００３３】
この実施形態において、前記再生特性は、ラジアルプッシュプル値、アシンメトリ値、変調度及びジッター値の少なくとも１つであるようにしてもよい。
【００３４】
上記パラメータはいずれも再生状態の良否評価に広く用いられており、光ヘッドの焦点位置をこれらに基づいて補正すれば、こうした再生特性が良好となるように書き込むことができる。具体的には、再生特性が、(i) アシンメトリ値が最大となること、(ii) 変調度が最大となること、及び(iii) ジッター値が最小となることの少なくともいずれかの条件を満たす焦点位置を、前記オフセット値として設定するとよい。尚、これらの特性は単体で利用してもよいし、２つ以上を組み合わせ、平均値を求めるなどして用いてもよい。
【００３５】
また、前記制御手段は、前記オフセット値の設定時に行う書き込みに際し、オフセット基準媒体にフォーカシングを行った場合の位置を基準に前記焦点位置を変化させるように前記フォーカシング手段を制御するようにしてもよい。
【００３６】
この場合は、オフセット値設定に係る書き込みは、オフセット基準媒体に対するフォーカシングにより予め調整された焦点位置を基準に（例えば、この位置を中心に、又は始点として）、焦点位置を書き込み箇所毎に変えて複数回行われる。「オフセット基準媒体」は、実際に書き込まれず、焦点位置の調整にあたっての初期状態における焦点位置の設定に用いられることから、基準の記録媒体となっている。但し、ここでオフセット基準媒体が実際に記録又は再生が可能か否かは問わない。
【００３７】
この場合には、オフセット基準媒体の光学条件、例えば基板の厚みや屈折率等に応じて、初期状態における焦点位置を、所望の位置に設定することが可能である。また、初期状態における焦点位置を、再生特性がある程度良好な、最終的に設定すべき位置の近傍に設定することができるので、オフセット値を効率よく適正に設定することが可能となる。
【００３８】
或いは、前記制御手段は、前記オフセット値の設定時に行う書き込みに際し、前記情報記録媒体の未記録部分でのラジアルプッシュプル値が最大となる位置を基準に前記焦点位置を変化させるように前記フォーカシング手段を制御するようにしてもよい。
【００３９】
この場合は、オフセット値設定に係る書き込みは、未記録部分でのラジアルプッシュプル値を最大とするように予め調整された焦点位置を基準に、焦点位置を変えて行われる。
【００４０】
よって、初期状態における焦点位置を、再生特性がある程度良好な位置、つまり最終的に設定すべき位置の近傍に設定することができるので、オフセット値を効率よく適正に設定することが可能となる。
【００４１】
また、この場合は上述のオフセット基準媒体と同様の焦点位置の調整が、書き込み対象である情報記録媒体を使って行われる。そのため、情報記録媒体の差し替えの手間が不要となり、基板や中間層の厚み等の光学的条件を実際の書き込み時の条件に合わせることができる。
【００４２】
更に、前記制御手段は、前記オフセット値の設定時に行う書き込みに際し、前記情報記録媒体に予め書き込まれた部分又は設定用に書き込まれた部分の再生特性が最適化される位置を基準に前記焦点位置を変化させるように前記フォーカシング手段を制御するようにしてもよい。
【００４３】
この場合は、オフセット値設定に係る書き込みは、記録エリアでの再生特性が最適化されるように予め調整された焦点位置を基準に、焦点位置を変えて行われる。記録エリアとは、既に一連の書き込み動作以前に書き込まれているプリライトエリアであってもよいし、一連の書き込み動作においてオフセット値の設定用に書き込んだ部分であってもよい。また、ここでいう再生特性は、例えば前述のラジアルプッシュプル値、アシンメトリ値、変調度及びジッター値等であってよい。この場合も、前項と同様の効果を奏する。
【００４４】
その他、前記制御手段は、前記制御手段は、前記オフセット値の設定時に行う書き込み以前と、前記オフセット値の分だけ前記焦点位置をずらした後との少なくとも一方でＯＰＣ（Optimum Power Control）処理を行うように前記光ヘッド及び前記フォーカシング手段を制御するようにしてもよい。
【００４５】
この場合は、オフセット値検出の際の書き込みがＯＰＣ処理、即ちレーザパワーの較正を行った後の焦点位置を基準に行われる。レーザパワーを先に較正しておけば、再生信号の再生特性からその影響が除外されるので、より適正に再生特性を取得することが可能である。
【００４６】
またここでは、実際の情報書き込みも、オフセット値による焦点位置を補正した後に、更にＯＰＣ処理を行ってから行う。補正により焦点位置がずれると、レーザパワーの適正値も異なってくることから、このように実際の書き込みに際して再度ＯＰＣ処理を施せば、最適な光強度で書き込みを行うことができ、ピットの大きさのばらつきを防止することが可能となる。
【００４７】
本発明の情報記録装置に係る実施形態の他の態様では、前記制御手段は、前記設定されたオフセット値を前記情報記録媒体に書き込むように前記光ヘッド及び前記フォーカシング手段を制御する。
【００４８】
この態様によれば、前述の実測等により一旦取得されたオフセット値が、情報記録媒体に保持される。よって、この情報記録媒体に再度書き込みを行う際には、保持されたオフセット値を読み取って利用すれば、簡単に適正なフォーカシングが実現でき、都合がよい。
【００４９】
本発明の情報記録装置に係る実施形態の他の態様では、前記情報記録媒体が複数の記録層からなる場合に、前記制御手段は、前記複数の記録層の各記録基準面に対して、前記焦点位置を前記オフセット値の分だけずらすように前記フォーカス制御手段を制御する。
【００５０】
この態様によれば、情報記録媒体が多層型である場合に、記録層のいずれかに照準を合わせると他の記録層に対しては適正にフォーカス調整されたことにはならないが、このように記録層毎にフォーカシングを行えばそれが実現できる。
【００５１】
（情報記録媒体に係る実施形態）
次に、本発明の情報記録媒体に係る実施形態について説明する。
【００５２】
本発明の第１情報記録媒体に係る実施形態では、情報記録装置が備えた光ヘッドにより情報を光学的に書き込むことが可能であり、前記光ヘッドの焦点位置を補正するために設定されたオフセット値、又は、該オフセット値を規定する自身の光学情報を記録するために設けられた書込領域を備えている。
【００５３】
本発明の第1情報記録媒体に係る実施形態によれば、前述のオフセット値、又はオフセット値の取得に必要な自身の光学情報を書き込むことができる領域が、予め用意されている。即ち、この情報記録媒体では、前述の焦点位置の補正後、オフセット値や光学情報等を書き込むことができる。本発明の情報記録装置において次に情報の書き込みがなされる際には、焦点位置の補正に対し、これらの情報を提供することができ、オフセット値を求めるといった装置側の負荷を軽減することができる。
【００５４】
本発明の第２情報記録媒体に係る実施形態では、情報記録装置が備えた光ヘッドにより情報を光学的に書き込むことが可能な書込領域を備え、前記書込領域には、前記光ヘッドの焦点位置を補正するために設定されたオフセット値、又は、該オフセット値を規定する自身の光学情報が予め記録されている。
【００５５】
本発明の第2情報記録媒体に係る実施形態によれば、前述のオフセット値、又はオフセット値の取得に必要な自身の光学情報が予め書き込まれている。そのため、この情報記録媒体は、本発明の情報記録装置において情報の書き込み前に行われる焦点位置の補正に対し、これらの情報を提供することができ、オフセット値を求めるといった装置側の負荷を軽減することができる。
【００５６】
また、その結果として、この情報記録媒体では、前述の焦点位置の補正後に情報を書き込むことができるので、収差の影響が取り除かれて、良好な再生特性で再生可能な状態に書き込まれることが可能である。
【００５７】
本発明の情報記録媒体に係る実施形態の一態様では、前記書込領域を夫々有する複数の記録層からなり、前記書込領域の少なくともいずれかが、該複数の記録層の各層に対する前記オフセット値又は前記光学情報を記録対象とする。
【００５８】
この態様によれば、複数の記録層の夫々に対応して記録されたオフセット値ないしオフセット値を規定する媒体自身の光学情報を読み出し、オフセット値の設定に利用すれば、いずれの記録層に対しても適正にフォーカス調整することが可能となる。この場合のオフセット値又は光学情報は、予め記録されていてもよいし、先の書き込みの際に所定の書込領域に記録されてもよい。
【００５９】
以上説明したように、本発明の情報記録装置に係る実施形態によれば、光ヘッド、フォーカス制御手段及び制御手段を備えるので、焦点位置の補正により収差の影響が軽減又は解消され、情報記録媒体に対して良好な再生が可能なように情報を書き込むことが可能である。
【００６０】
また、本発明の情報記録媒体に係る実施形態によれば、情報の書き込みが可能な領域と、オフセット値又は光学情報が予め書き込まれた領域とを備えるので、焦点位置の補正により収差の影響が軽減又は解消されることで、良好な再生が可能なように情報の書き込みがなされることが可能である。
【００６１】
本実施形態のこのような作用及び他の利得は次に説明する実施例から明らかにされる。
【実施例】
【００６２】
（第１実施例）
本発明に係る第１実施例について、図１から図１０を参照して説明する。
【００６３】
先ず、第１実施例における情報記録媒体について、図１を参照して説明する。図１（ａ）は、第１実施例に係る光ディスクの基本構造を示した概略平面図であり、図１（ｂ）は、該光ディスクの概略断面図と、これに対応付けられた、その半径方向における記録領域構造の図式的概念図である。
【００６４】
図１（ａ）及び（ｂ）に示されるように、光ディスク１０は、ＤＶＤと同じく直径１２ｃｍ程度の円盤状をしており、透明基板１０６にＬ０層及びＬ１層が積層された２層型に構成されている。Ｌ０層及びＬ１層の夫々に対応する２つの記録面には、センターホール１を中心としてリードインエリア１０１、データエリア１０２並びにミドルエリア１０４又はリードアウトエリア１０３が設けられている。例えば、Ｌ０層のリードインエリア１０１、及び、Ｌ１層のリードアウトエリア１０３には、ＯＰＣ処理のためのＰＣ（Power Control）エリア、及び管理情報等が記録されている。そして、これらの記録面上の記録領域には、例えば、センターホール１を中心にスパイラル状或いは同心円状に、グルーブトラック及びランドトラック等のトラック１００が設けられている。トラック１００上には、データがＥＣＣブロック単位に記録される。
【００６５】
このような光ディスク１０では、図１（ｂ）の下から上に向かって照射されるレーザ光ＬＢの集光位置を、Ｌ０層とＬ１層のいずれの記録面に合わせるかにより、Ｌ０層若しくはＬ１層における情報の記録再生が行われる。
【００６６】
尚、Ｌ０層とＬ１層の間には、半透過反射膜が設けられ、更にＬ１層の上には反射膜や保護膜が設けられている。Ｌ１層及び反射膜は、透明基板１０６に形成されたＬ０層や半透過反射膜等の上に直接成膜して形成してもよいし、別基板に成膜した後、これを透明基板１０６に貼り合わせるようにしてもよい。このような光ディスク１０においては、後述するように、膜厚ばらつきに起因する球面収差が記録再生時に問題となる。
【００６７】
次に、本実施例における情報記録装置について、図２を参照して説明する。図２は、本実施例に係る記録再生装置の構成を示している。
【００６８】
図２において、本発明の「情報記録装置」の一例たる情報記録再生装置２０は、制御部３５の制御下で、光ディスク１０に情報を記録すると共に光ディスク１０に記録された情報を読み取る機能を有している。即ち、本発明に係わる情報記録装置は、情報記録再生装置２０の情報記録に関する機能で構成される。
【００６９】
情報記録再生装置２０は、スピンドルモータ２１、光ヘッド２２、スライダ２３等を機構部として備え、ＲＦ信号処理部２４、復調部２５、変調部３３、レーザ駆動部３４等を信号系として備え、エラー信号検出部２６、トラッキングサーボ部２７、フォーカスサーボ部２８、スライダサーボ部２９、スピンドルサーボ部３０等をサーボ系として備え、更に出力部３１、入力部３２、操作入力部３６、表示部３７等をインターフェースとして備える。また、上記各構成要素を制御する制御部３５が備わる。
【００７０】
スピンドルモータ２１は、光ディスク１０を装着し所定の回転速度、即ち所定の回転数又は線速度で回転させる。その回転制御は、再生された信号からエラー信号検出部２６で各種同期信号に基づき回転誤差が検出され、検出誤差に基づいてスピンドルサーボ部３０で制御信号が生成され、スピンドルモータ２１にフィードバックされることにより行われる。
【００７１】
光ヘッド２２は、光ディスク１０に情報を光学的に書き込む機能と読み出す機能とを兼ね備えており、読出用と書込用とが共通に、或いは個別に設けられている。光ヘッド２２は、書き込み時には、光ディスク１０のトラック１００上の所定部分にレーザ光を集光し、その部分に相変化等を引き起こすことでピット形成を行い、読み出し時にはピット上にレーザ光を集光し、その反射光を検出して情報を読み出すことから、レーザ光を集光しトラック１００に追随させるためにフォーカス方向とトラッキング方向にレーザ光の集光位置を制御する必要がある。これらの制御は、光ヘッド２２による再生信号からエラー信号検出部２６でフォーカスとトラッキングの誤差が検出され、その誤差に基づいてフォーカスサーボ部２８とトラッキングサーボ部２７とで夫々の制御信号が生成され、光ヘッド２２に制御信号が入力されるフィードバック制御として実現される。
【００７２】
ここで、フォーカスサーボ部２８は、本発明の「フォーカシング手段」の一具体例に対応しており、光ヘッド２２の焦点位置を調整するために図２中の上下方向に光ヘッド２２内の対物レンズ２２ａ（図４参照）を移動させるように構成されている。そして、光ディスク１０に入力部３２から入力された記録用信号を書き込む際には、制御部３５から入力されるオフセット値ε１に応じて焦点位置を記録面からずらすように、対物レンズ２２ａを移動させるように制御される。
【００７３】
尚、オフセット値ε１とは、光ディスク１０における収差、特に球面収差の影響を補正するための焦点距離に対するオフセット量であり、制御部３５にて設定される。また、焦点位置の実際の調整は、対物レンズ２２ａの位置制御によって行われているので、オフセット値ε１や焦点位置は、対物レンズ２２ａの位置座標に換算されていてもよい。
【００７４】
エラー信号検出部２６では、例えばプッシュプル方式或いはディファレンシャルプッシュプル方式により、制御信号の一つとしてプッシュプル信号（即ち、プッシュプルエラー信号或いはトラッキングエラー信号）を生成し、これに基づいてトラッキングサーボ部２７においてトラッキングサーボが行われる。トラッキング制御についてはスライダ２３によるディスク半径方向の位置制御を加えるようにしても良い。
【００７５】
スライダ２３は、光ヘッド２２を光ディスク１０の半径方向に移動させる送り機構であって、例えば光ヘッド２２を搭載した基台をスクリュウネジで送る機構等が汎用されている。
【００７６】
ＲＦ信号処理部２４は、光ヘッド２２により再生されたＲＦ信号を後段での信号処理に適した信号に整形する。復調部２５は、ＲＦ信号処理部２４で前段処理された信号を復調する機能を有している。また、ここではエラー訂正機能も備えていて、復調信号は出力部３１を介して音に関する情報であればスピーカ、映像に関する情報であればモニター、データに関する情報であればパソコン等に出力される。変調部３３は、入力部３２から入力された記録用信号を所定のフォーマットに変換する機能を有しており、変調信号はレーザ駆動部３４に入力される。レーザ駆動部３４は、入力される変調信号に基づいて光ヘッド２２からのレーザ光を変調して光ディスク１０に照射させる。
【００７７】
制御部３５は、ＣＰＵ等を備え、各機能部からの情報、或いは操作入力部３６からの操作指示等に基づいて情報記録再生装置２０の全体の動作を制御し、情報記録再生装置２０の作動状態を表示部３７に表示させる。操作入力部３６は所定の機械的な入力手段で構成されていてもよく、また、リモートコントロールの構成でも良い。表示部３７はＣＲＴ、液晶表示装置、ＥＬ表示装置等が利用可能である。
【００７８】
本実施例における制御部３５は、本発明の「制御手段」の一具体例に対応しており、光ディスク１０に対する書き込みの際には、オフセット値ε１を設定し、光ヘッド２２の焦点位置をオフセット値ε１の分だけ記録面からずらすようにフォーカスサーボ部２８を制御すると共に、焦点位置がずれた状態で書き込みを行うように光ヘッド２２を制御するように構成されている。
【００７９】
更に、制御部３５は、光ディスク１０に対する“再生”の際には、光ヘッド２２の焦点位置を記録面に合わせるようにフォーカスサーボ部２８を制御する。即ち、オフセット値ε１を記録時のみに用いて、再生時には焦点位置を記録面からずらさないように（即ち、フォーカスＳ字カーブのゼロクロス点に焦点位置を合わせるように）制御する。
【００８０】
但し、制御部３５は、光ディスク１０に対する“再生”の際には、オフセット値ε１を設定し、光ヘッド２２の焦点位置をオフセット値ε１の分だけ記録面からずらすようにフォーカスサーボ部２８を制御すると共に、焦点位置がずれた状態で再生を行うように光ヘッド２２を制御してもよい。即ち、オフセット値ε１を記録時のみならず、再生時にも用いて焦点位置をオフセット値ε１だけずらすように制御してもよい。
【００８１】
（本発明の情報記録装置による記録動作の流れ）
次に、情報記録再生装置による光ディスク１０への記録動作について、更に図３及び図４を参照して説明する。ここに図３は、情報記録再生装置による光ディスク１０に対する書き込み手順を示している。図４（ａ）〜（ｃ）は、オフセット値ε１による光ヘッド２２の焦点位置の変化の様子を示している。
【００８２】
以下に説明する焦点位置の補正に係る動作は、実際の書き込み動作の前にＬ０層及びＬ１層の双方に対して連続して行ってもよいし、Ｌ０層（又はＬ１層）にだけ書き込む場合にはＬ０層（又はＬ１層）に対してだけ行うようにしてもよい。或いは、まずＬ０層に対して焦点位置を補正し、書き込む情報量が多く、Ｌ１層にも書き込まなければならなくなった場合に、Ｌ１層に書き込む前にＬ１層に対する焦点位置の補正を行うようにしてもよい。即ち、このような書き込み順序に関しては任意に設定可能である。但し、ここで問題となる球面収差は、特にＬ１層側で顕在化することから、オフセット値ε１による焦点位置の補正をＬ１層についてだけ行うようにしてもよい。
【００８３】
そこで、以下では、便宜上、オフセット値ε１による焦点位置の補正に関しては主にＬ１層の場合について説明し、Ｌ０層の場合については適宜に説明を省略する。
【００８４】
図３のフローチャートにおいて、光ディスク１０に書き込みを行う際には、まず制御部３５がフォーカスサーボ部２８を制御し、所謂フォーカスＳ字カーブによるフォーカシングを行う（ステップＳ１１）。
【００８５】
書き込み動作は、例えば操作入力部３６からの指示や光ディスク１０の装填をきっかけとして、制御部３５により開始される。この最初の工程では、対物レンズ２２ａを光ディスク１０に近づける方向に移動させながらレーザ光ＬＢを照射し、フォーカスエラー信号を取得する。フォーカスエラー信号は、Ｌ０層の合焦点位置とＬ１層の合焦点位置の夫々を中心とする２つのＳ字波形からなり、２つの合焦点位置で“０”に収束する。例えば、図４（ｃ）から図４（ａ）のように、対物レンズ２２ａを光ディスク１０に近づける方向に移動させると、Ｌ１層の記録基準面１１にフォーカスが合ったときに、Ｌ１層からのフォーカスエラー信号は“０”に収束する。
【００８６】
そこで、フォーカスエラー信号のゼロクロスポイントから、Ｌ０層及びＬ１層の合焦点位置が夫々検出される。こうして得られた合焦点位置を、ここでは当初の焦点位置としてフォーカスポイントＦ１と呼び、そのときの対物レンズ２２ａの位置をレンズ位置Ｆ１１と呼ぶことにする（図4(ｂ)参照）。続いて、対物レンズ２２ａの位置をレンズ位置Ｆ１１に合わせておく。
【００８７】
尚、以上のようにフォーカスエラー信号が“０”に収束する点を、フォーカスＳ字カーブの「ゼロクロス点」という。言い換えれば、「ゼロクロス点」が得られるときの焦点位置或いは合焦点位置を含む光ディスク１０の基板面に平行な面が、本発明に係る「記録基準面」の一例に相当することになる。
【００８８】
次に、フォーカスポイントＦ１でＯＰＣ処理を行い（ステップＳ１２）、レーザ光ＬＢの光強度を較正する。例えば、順次段階的にレーザ光ＬＢの光強度を切り換えて試し書き用のデータをＰＣエリアに記録し、これらの試し書き用データを再生し、得られた再生信号を所定の評価基準に基づいて判定することにより、最適な光強度が設定される。このようにしてレーザパワーを先に較正しておけば、再生信号の再生特性からその影響が除外されるので、以下において、より適正に再生特性を取得することができる。
【００８９】
＜ケース１＞
次に、図４のように、焦点位置を移動させながら、オフセット値ε１の設定のための試し書きを行う（ステップＳ１３）。焦点位置の移動は、フォーカスポイントＦ１を始点として段階的に行われ、ここでは、フォーカスポイントＦ１を中心として対物レンズ２２ａ位置を変動させるように、制御部３５がフォーカスサーボ部２８を制御している。この試し書きは、例えばリードアウトエリア１０３（Ｌ０層であればリードインエリア１０１）の所定位置に設けられた書き込み用の領域に行うことができる。
【００９０】
次に、試し書きされた箇所について再生信号を検出し、その再生特性を取得する（ステップＳ１４）。この場合の再生特性は、通常の特性評価に用いられる類の特性であってよく、具体的には、ラジアルプッシュプル値、アシンメトリ値、変調度、及びジッター値等が挙げられる。採用する特性は、これらのいずれか１つであってもよく、また２以上であってもよい。
【００９１】
尚、このときの再生信号の検出においては、制御部３５は、光ヘッド２２の焦点位置を記録面に合わせるように（即ち、フォーカスＳ字カーブのゼロクロス点に焦点位置を合わせるように）フォーカスサーボ部２８を制御する。
【００９２】
次に、取得された再生特性に基づいて最適なフォーカスポイントを検出する（ステップＳ１５）。即ち、段階的に変化させた焦点位置のうち、再生特性が最良となる位置が、取得した特性データに基づいて、制御部３５にて検出される。こうして検出された焦点位置を、ここではフォーカスポイントＦ２と呼び、焦点位置がフォーカスポイントＦ２のときの対物レンズ２２ａの位置を、レンズ位置Ｆ２２と呼ぶことにする（図４(ａ)参照）。
【００９３】
尚、取得された再生特性が２以上の場合は、夫々の再生特性に対応する最適な焦点位置の平均値をフォーカスポイントＦ２としてもよい。例えば、試し書き箇所から読み出した再生信号からラジアルプッシュプル値とアシンメトリ値とを取得し、ラジアルプッシュプル値が最大となる位置と、アシンメトリ値が最大となる位置とを求め、両者の平均値をフォーカスポイントＦ２としてもよい。
【００９４】
次に、フォーカスポイントＦ１及びＦ２の差を、オフセット値ε１に設定し（ステップＳ１６）、レンズ位置Ｆ１１であった対物レンズ２２ａの焦点位置を、レンズ位置Ｆ２２にずらすことで、フォーカスポイントＦ１をオフセット値ε１の分だけずらす（ステップＳ１７）。
【００９５】
以上の結果、本実施例では、焦点位置はフォーカスポイントＦ２に合わせられる。オフセット値ε１の設定過程を見ればわかることだが、フォーカスポイントＦ２とは、“最良の再生特性で再生可能に書き込める”焦点位置であり、オフセット値ε１はそのような位置に対する当初位置（即ち、フォーカスポイントＦ１）の誤差として得られる。この工程では、制御部３５がオフセット値ε１の設定と、オフセット値ε１に基づくフォーカスサーボ部２８の制御とを行うことにより、対物レンズ２２ａの位置調整がなされる。
【００９６】
仮に、フォーカスポイントＦ１が、上記の意味で「最適な」焦点位置であれば、フォーカスポイントＦ２はフォーカスポイントＦ１に帰結する。ところが、本発明の発明者による実測結果によれば、フォーカスポイントＦ１ではない位置が、フォーカスポイントＦ２となっている（図７及び図８を参照）。通常であれば、フォーカスエラー信号のＳ字カーブにより設定したフォーカスポイントＦ１こそが記録基準面１１に合焦点する位置だと考えられるが、実際には収差等の影響から、焦点位置そのものにマージンが存在している。言い換えると、どの条件を優先して設定するかに応じて、焦点位置は変わる。
【００９７】
そこで、ここでは、合焦するというよりは、結果として良好な書き込みができる位置を焦点位置に選定しようとしている。即ち、収差やその他の光学的パラメータを一つ一つ補正せずして、同様の成果を得ることが可能である。
【００９８】
尚、この場合は、焦点位置補正の指標として再生特性を用いているものの、再生時ではなく記録時の焦点位置をパラメータとしているので、これを基に書き込み時の光学条件は適正に設定される。
【００９９】
次に、この状態で再度ＯＰＣ処理を行う（ステップＳ１８）。補正により焦点位置がずれると、光ヘッド２２のレーザパワーの適正値も異なってくることから、このように実際の書き込みに際してＯＰＣ処理を施せば、最適な光強度で書き込みを行うことができ、再生特性が良好な再生信号を得ることが可能となる。
【０１００】
次に、光ディスク１０にデータの書き込みを行う（ステップＳ１９）。データは、例えば入力部３２に外部入力される記録用信号であり、変調部３３での変調の後、レーザ駆動部３４に入力される。そして、この変調信号に基づき変調されたレーザ光ＬＢによって、光ディスク１０に書き込みがなされる。
【０１０１】
このときの焦点位置はフォーカスポイントＦ１からずれており、前述したように“最良の再生特性で再生可能に書き込める”焦点位置であることから、記録用信号を良好な状態に書き込むことができ、再生した場合にはエラー等のない、再生特性も良好な再生信号が得られる。
【０１０２】
以上に説明したケース１では、オフセット値ε１の設置に際し、フォーカスポイントＦ１を中心として焦点位置を移動させながら試し書きするようにしたが（ステップＳ１３を参照）、どの位置を移動の基準点とするかについては特に限定されず、いろいろな変形実施が可能である。そこで、以下にいくつかの具体例を挙げることにする。
【０１０３】
＜ケース２＞
図３のフローチャートにおいて、レーザパワー及び焦点位置を、ＯＰＣ処理後の設定としたまま試し書きを行い（ステップＳ２１）、その再生特性が最適となる焦点位置を検出する（ステップＳ２２）。そして、この検出された位置を基準点として、再び焦点位置を変えながら試し書きを行う（ステップＳ２３）。その後の手順は、ケース１と同様である。
【０１０４】
＜ケース３＞
ケース３では、試し書きを行わずに、光ディスク１０のうち既に記録されているプリライトエリア（例えば、リードインエリア１０１やリードアウトエリア１０３等）から再生信号を読み出し、その再生特性を基にして基準点を検出する。
【０１０５】
＜ケース４＞
ケース４では、光ディスク１０の未記録部分でのラジアルプッシュプル値を最大とする位置を基準点とする。即ち、未記録部分から焦点位置を変えながら再生信号を読み出し、そこからラジアルプッシュプル値を最大とする焦点位置を検出し、基準点とするのである。
【０１０６】
＜ケース５＞
ケース５では、基準とするオフセット基準媒体にフォーカシングを行った場合の焦点位置を基準点とする。即ち、オフセット基準媒体の記録基準面から焦点位置を変えながら再生信号を読み出し、そこから再生特性を最適とする焦点位置を検出し、基準点とするのである。
【０１０７】
オフセット基準媒体は、例えば再生専用媒体であってよく、収差の影響が殆ど或いは全くないなど、所望の光学特性を有していることが好ましい。また、オフセット基準媒体が再生専用媒体である場合には、既に記録されている情報の再生特性を利用してフォーカシングを行うようにしてもよい。
【０１０８】
これらケース１ないしケース５においても、基準点を再生特性がある程度良好な位置、つまりフォーカスポイントＦ２の近傍に設定することができるので、オフセット値ε１を効率よく適正に設定することが可能である。
【０１０９】
＜オフセット値設定に係る再生特性の測定例＞
次に、オフセット値ε１の設定のうち、指標となる再生特性の取得（ステップＳ１３からステップＳ１５に対応する工程）に関して、図５ないし図１０の実測値に基づいて説明する。
【０１１０】
ここに、図５及び図６は夫々、光ディスク１０のＬ０層について取得されたジッター値及び変調度を示している。図７及び図８は夫々、Ｌ１層について取得されたジッター値及び変調度を示している。また、図９及び図１０の夫々は比較例として、単層型ディスクにおいて取得されたジッター値及び変調度を示している。尚、各図の横軸は、フォーカスポイントＦ１（エラー信号のＳ字カーブにより決定される焦点位置）を基準とした焦点位置の座標軸を表しており、図４において基準点から上側を負、下側を正としている。
【０１１１】
図５及び図６に示すように、Ｌ０層では、対物レンズ２２ａの焦点位置がフォーカスポイントＦ１のときにジッター値最小、変調度最大となる。よって、この場合のＬ０層では、フォーカスポイントＦ１が“最良の再生特性で再生可能に書き込める”焦点位置である。これは、Ｌ０層側には収差の影響が少ないためと考えられる。
【０１１２】
一方、図７及び図８に示すように、Ｌ１層では、対物レンズ２２ａの焦点位置がフォーカスポイントＦ１から負側に０．３μｍ程度ずれた位置でジッター値最小、変調度最大となる。即ち、このずれ量（−０．３μｍ）が、オフセット値に設定される。
【０１１３】
補正後のＬ１層の焦点位置は、図４（ａ）のように、フォーカスポイントＦ１からオフセット値の分だけ上側にずれており、レーザ光ＬＢが、記録基準面１１から上側に僅かにデフォーカスする。それでも、この補正により収差の影響等をよく吸収して、図示のように良好な再生特性が得られるような書き込みを実現できるのである。
【０１１４】
尚、図９及び図１０に示すように、比較例としての単層型ディスクの場合、対物レンズ２２ａの焦点位置がフォーカスポイントＦ１のときにジッター値最小、変調度最大となる。即ち、この場合には、フォーカスポイントＦ１が“最良の再生特性で再生可能に書き込める”焦点位置である。これは、単層であることから、収差が比較的小さいためと考えられる。
【０１１５】
このように本実施例では、書き込み動作の前に、対物レンズ２２ａの光ディスク１０に対する焦点位置を、オフセット値ε１に基づいてずらすようにしたので、焦点位置が最適化され、光ディスク１０（ここではＬ１層）におけるレーザ光ＬＢの収差、特に球面収差の影響が取り除かれる。よって、良好な状態で書き込みを行うことができ、その再生時には再生エラー等が極めて少ない、再生特性が良好な再生信号を得ることが可能となる。
【０１１６】
また、光ディスク１０の複数箇所の夫々に焦点位置を変化させて書き込みを行い、これら複数箇所から読み出された再生信号に係る再生特性を取得し、該取得された再生特性に基づいてオフセット値ε１を設定するようにしたので、書き込み直前の状態に応じたオフセット値ε１が得られる。加えて、試し書きの再生特性に基づいてオフセット値ε１を設定することから、このオフセット値ε１によれば、光ヘッド２２の焦点位置を“最良の再生特性で再生可能に書き込める”位置に合わせることが可能である。従って、収差等の公差を見込んだ焦点位置の補正を、比較的簡易に行うことができる。
【０１１７】
尚、このようにして、書き込みの際の収差の影響を取り除くようにしたので、球面収差が大きな光ディスクに対しても、特性最良の再生信号が得られるような情報記録が可能となる。
【０１１８】
（第２実施例）
次に、本発明に係る第２実施例について、図１１を参照して説明する。図１１は、本実施例に係る光ディスク及び情報記録再生装置の動作を示している。尚、以下の実施例においては、上記第１実施例と同様の構成要素については同一の符号を付し、その説明を適宜に省略する。
【０１１９】
図１１において、本実施例における光ディスク１０ａには、オフセット値を規定する光ディスク１０ａ自身に係る第１光学情報Ｉ１が予め記録されている。第１光学情報Ｉ１としては、例えば、透明基板１０６の厚みと屈折率（又は透過率）、Ｌ０層とＬ１層との間の中間層の厚み、その屈折率（又は透過率）等が挙げられる。
【０１２０】
一方、情報記録再生装置２０１は、オフセット値を規定する光ヘッド２２に係る第２光学情報Ｉ２を予め保有している。第２光学情報Ｉ２としては、例えば、対物レンズ２２ａの開口数ＮＡ、レーザ光ＬＢの波長等が挙げられる。具体的には、制御部３５にメモリ３５ａが設けられており、そこにテーブル４５の形式で第２光学情報Ｉ２が格納されている。テーブル４５は、既知の第２光学情報Ｉ２と、変数扱いの第１光学情報Ｉ１とからなり、第１光学情報Ｉ１を導入することでオフセット値が得られるように構成されている。
【０１２１】
図示したように、第１光学情報Ｉ１は情報記録再生装置２０１にて読み出され、制御部３５にてテーブル４５に照らし合わせられる。結果、予めテーブル４５に書き込まれているオフセット値が、第１光学情報Ｉ１及び第２光学情報Ｉ２によって一意に選出される。
【０１２２】
制御部３５は、こうして得られたオフセット値の分だけ、フォーカスポイントＦ１から対物レンズ２２ａの焦点位置をずらし、その後、書き込みを行うように制御すればよい。
【０１２３】
このように本実施例によれば、第１光学情報Ｉ１及び第２光学情報Ｉ２に基づいてオフセット値を求めるようにしたので、第１実施例に比べて、書込時に焦点位置補正にかける手間が短縮できる。また、ディスク側、装置側双方の光学条件を基にオフセット値が得られることから、より実際に即した焦点位置補正が可能である。
【０１２４】
（第３実施例）
次に、本発明に係る第３実施例について、図１２を参照して説明する。図１２は、本実施例に係る光ディスク及び情報記録再生装置の動作を示している。
【０１２５】
図１２において、本実施例における光ディスク１０ｂには、オフセット値ε２そのものが予め記録されている。即ち、事前に実施例１のような手順で得られたオフセット値ε２が、光ディスク１０ｂに記録されている。
【０１２６】
この場合、図示のように、オフセット値ε２は情報記録再生装置３０１にて読み出されると、早速、焦点位置の補正に利用される。即ち、オフセット値ε２は、光ディスク１０ｂ毎に固有の情報として保有されており、光ディスク１０ｂから読み取るだけでよいことから、ディスク毎に適したオフセット値を簡単に得ることができる。
【０１２７】
以上、実施例を挙げて本発明について説明したが、本発明の情報記録媒体及び情報記録装置は、上述の実施例の他にも種々の変形が可能である。例えば、対物レンズの焦点位置の補正は、対物レンズが通常の固定焦点レンズであれば、対物レンズをずらして対物レンズと情報記録媒体との距離を変えればよいが、対物レンズが液体レンズ等の焦点距離可変レンズの場合は、レンズの位置をずらす代わりに、印加電圧の制御等により変化させればよい。
【０１２８】
また、本発明の情報記録媒体は収差の影響が大きな媒体に広く適用可能であり、２層片面、即ちデュアルレイヤーに限定されず、２層両面、即ちデュアルレイヤーダブルサイドであってもよい。更に、記録層は、上述の如く２層に限られることなく、単層或いは３層以上であってもよい。
【０１２９】
また、第１実施例では、オフセット基準媒体にフォーカシングするときの対物レンズの位置は、書込動作の都度、実測するようにしたが、例えば情報記録装置又は情報記録媒体に記録し、必要なときに利用できるようにしておいてもよい。その他の、オフセット値ε１の設定のための試し書きの際に移動させる焦点位置の基準点の位置座標もまた同様に、情報記録装置又は情報記録媒体に記録しておいてよい。更に、この後設定されたオフセット値ε１自体を、情報記録装置又は情報記録媒体に記録しておいてもよい。
【０１３０】
尚、各実施例では、本発明の情報記録装置の一例として情報記録再生装置について説明したが、情報記録装置としては、ＲＦ信号処理部２４、復調部２５、出力部３１を除いたシステムとしても構成できる。
【０１３１】
本発明は、上述した実施例に限られるものではなく、請求の範囲及び明細書全体から読み取れる発明の要旨或いは思想に反しない範囲で適宜変更可能であり、そのような変更を伴う情報記録媒体及び情報記録装置もまた本発明の技術的範囲に含まれる。
【図面の簡単な説明】
【０１３２】
【図１】本発明の第１実施例に係る光ディスクの基本構造を示す概略平面図（ａ）及び、該光ディスクの概略断面図と、これに対応付けられた、その半径方向における記録領域構造の図式的概念図（ｂ）である。
【図２】第１実施例に係る情報記録再生装置の構成を示すブロック図である。
【図３】第１実施例に係る情報記録再生装置の書込時の動作手順を示すフローチャートである。
【図４】第１実施例に係る情報記録再生装置におけるオフセット値設定時の動作を説明するための概念図であり、（ａ）、（ｂ）及び（ｃ）は夫々焦点位置が異なる場合を表す。
【図５】第１実施例に係るＬ０層（レーザ光に近い方の層）のオフセット値設定時に測定される、焦点位置に対するジッター値の変化を示すグラフである。
【図６】第１実施例に係るＬ０層（レーザ光に近い方の層）のオフセット値設定時に測定される、焦点位置に対する変調度の変化を示すグラフである。
【図７】第１実施例に係るＬ１層（レーザ光から遠い方の層）のオフセット値設定時に測定される、焦点位置に対するジッター値の変化を示すグラフである。
【図８】第１実施例に係るＬ１層（レーザ光から遠い方の層）のオフセット値設定時に測定される、焦点位置に対する変調度の変化を示すグラフである。
【図９】第１実施例の比較例に係る単層の情報記録媒体において、オフセット値設定時に測定される、焦点位置に対するジッター値の変化を示すグラフである。
【図１０】第１実施例の比較例に係る単層の情報記録媒体において、オフセット値設定時に測定される、焦点位置に対する変調度の変化を示すグラフである。
【図１１】第２実施例に係る光ディスク、及び、情報記録再生装置の書込時の動作を説明するための概念図である。
【図１２】第３実施例に係る光ディスク、及び、情報記録再生装置の書込時の動作を説明するための概念図である。
【符号の説明】
【０１３３】
１０…光ディスク、１１…記録基準面、２２…光ヘッド、２２ａ…対物レンズ、２３…スライダ、２８…フォーカスサーボ部、３５…制御部、ＬＢ…レーザ光、ε１、ε２…オフセット値、Ｆ１、Ｆ２…フォーカスポイント、Ｆ１１、Ｆ２２…レンズ位置、Ｉ１…第１光学情報、Ｉ２…第２光学情報。
【図１】
2006018974.tif 000003
【図２】
2006018974.tif 000004
【図３】
2006018974.tif 000005
【図４】
2006018974.tif 000006
【図５】
2006018974.tif 000007
【図６】
2006018974.tif 000008
【図７】
2006018974.tif 000009
【図８】
2006018974.tif 000010
【図９】
2006018974.tif 000011
【図１０】
2006018974.tif 000012
【図１１】
2006018974.tif 000013
【図１２】
2006018974.tif 000014